(57)【特許請求の範囲】
【請求項１】
ＵＩ（Ｕｓｅｒ  Ｉｎｔｅｒｆａｃｅ）コンテンツが格納されたデータベース部とネットワークにより接続されるネットワーク端末において、
前記データベース部から所望の前記ＵＩコンテンツを取得する通信部と、
ネットワーク端末本体における環境情報を生成する環境情報生成部と、
前記通信部により取得された前記ＵＩコンテンツの変換部に前記環境情報生成部で生成された前記環境情報を提供し、前記変換部の出力に基づいて前記環境情報に応じた画面デザインデータを生成するＵＩコンテンツ再生部と
を備えることを特徴とするネットワーク端末。
【請求項２】
ＵＩ（Ｕｓｅｒ  Ｉｎｔｅｒｆａｃｅ）コンテンツが格納されたデータベース部とネットワークにより接続されるネットワーク端末において、
前記データベース部から所望の前記ＵＩコンテンツを取得する通信部と、
データ放送受信部と、
ネットワーク端末本体における環境情報を生成し、前記データ放送受信部で受信した情報から前記環境情報に応じた新たな環境情報を抽出する環境情報生成部と、
前記通信部により取得された前記ＵＩコンテンツの変換部に前記環境情報生成部で抽出された前記新たな環境情報を提供し、前記変換部の出力に基づいて前記新たな環境情報に応じた画面デザインデータを生成するＵＩコンテンツ再生部と
を備えることを特徴とするネットワーク端末。
【請求項３】
前記データ放送受信部で受信する情報は、気象情報を含むことを特徴とする請求項２記載のネットワーク端末。
【請求項４】
前記環境情報は、前記ネットワーク端末本体における日時情報を含むことを特徴とする請求項１から請求項３のうちのいずれか１項記載のネットワーク端末。
【請求項５】
前記環境情報は、前記ネットワーク端末本体の設置位置情報を含むことを特徴とする請求項１から請求項４のうちのいずれか１項記載のネットワーク端末。
【請求項６】
前記設置位置情報は、郵便番号を示す情報であることを特徴とする請求項５記載のネットワーク端末。
【請求項７】
ネットワークにより接続されるデータベース部に格納されるＵＩ（Ｕｓｅｒ  Ｉｎｔｅｒｆａｃｅ）コンテンツを用いて画面デザインデータを生成するネットワーク端末を備えたＵＩ表示システムにおいて、
前記ＵＩコンテンツは、
前記画面デザインデータと、
前記ネットワーク端末にて前記ネットワーク端末における環境情報を前記画面デザインデータに反映可能とする変換部とを備え、
前記ネットワーク端末は、
前記データベース部から所望の前記ＵＩコンテンツを取得する通信部と、
前記環境情報を生成する環境情報生成部と、
前記通信部により取得された前記ＵＩコンテンツの前記変換部に前記環境情報生成部で生成された前記環境情報を提供し、前記変換部の出力に基づいて前記環境情報に応じた前記画面デザインデータを生成するＵＩコンテンツ再生部とを備える
ことを特徴とするＵＩ表示システム。
【請求項８】
ネットワークにより接続されるデータベース部に格納されるＵＩ（Ｕｓｅｒ  Ｉｎｔｅｒｆａｃｅ）コンテンツを用いて画面デザインデータを生成するネットワーク端末を備えたＵＩ表示システムにおいて、
前記ＵＩコンテンツは、
前記画面デザインデータと、
前記ネットワーク端末にて前記ネットワーク端末における環境情報を前記画面デザインデータに反映可能とする変換部とを備え、
前記ネットワーク端末は、
前記データベース部から所望の前記ＵＩコンテンツを取得する通信部と、
ネットワークにより接続させる放送局が送出するデータ放送番組を受信するデータ放送受信部と、
ネットワーク端末本体における環境情報を生成し、前記データ放送受信部で受信した情報から前記環境情報に応じた新たな環境情報を抽出する環境情報生成部と、
前記通信部により取得された前記ＵＩコンテンツの前記変換部に前記環境情報生成部で抽出された前記新たな環境情報を提供し、前記変換部の出力に基づいて前記新たな環境情報に応じた前記画面デザインデータを生成するＵＩコンテンツ再生部とを備える
ことを特徴とするＵＩ表示システム。
【請求項９】
ネットワークにより接続されるデータベース部に格納されるＵＩ（Ｕｓｅｒ  Ｉｎｔｅｒｆａｃｅ）コンテンツを用いて画面デザインデータを生成するネットワーク端末を備えたＵＩ表示システムにおいて、
前記ＵＩコンテンツは、
前記画面デザインデータと、
前記ネットワーク端末にて前記ネットワーク端末における環境情報を前記画面デザインデータに反映可能とする変換部とを備え、
前記ネットワーク端末は、
前記データベース部から所望の前記ＵＩコンテンツを取得する通信部と、
前記環境情報を生成する環境情報生成部と、
前記通信部により取得された前記ＵＩコンテンツの前記変換部に前記環境情報生成部で生成された前記環境情報を提供し、前記環境情報に応じた前記画面デザインデータを生成するＵＩコンテンツ再生部とを備え、
前記環境情報は、前記ネットワーク端末本体の設置位置情報を含む
ことを特徴とするＵＩ表示システム。
【請求項１０】
ネットワークにより接続されるデータベース部に格納されるＵＩ（Ｕｓｅｒ  Ｉｎｔｅｒｆａｃｅ）コンテンツを用いて画面デザインデータを生成するネットワーク端末を備えたＵＩ表示システムにおいて、
前記ＵＩコンテンツは、
前記画面デザインデータと、
前記ネットワーク端末にて前記ネットワーク端末における環境情報を前記画面デザインデータに反映可能とする変換部とを備え、
前記ネットワーク端末は、
前記データベース部から所望の前記ＵＩコンテンツを取得する通信部と、
ネットワークにより接続させる放送局が送出するデータ放送番組を受信するデータ放送受信部と、
ネットワーク端末本体における環境情報を生成し、前記データ放送受信部で受信した情報から前記環境情報に応じた新たな環境情報を抽出する環境情報生成部と、
前記通信部により取得された前記ＵＩコンテンツの前記変換部に前記環境情報生成部で抽出された前記新たな環境情報を提供し、前記新たな環境情報に応じた前記画面デザインデータを生成するＵＩコンテンツ再生部とを備える
ことを特徴とするＵＩ表示システム。
【発明の詳細な説明】
【技術分野】
【０００１】
この発明は、データベースからのＵＩ（Ｕｓｅｒ  Ｉｎｔｅｒｆａｃｅ）コンテンツを用いて表示画面を生成するネットワーク端末、ネットワーク端末用ＵＩコンテンツおよびＵＩ表示システムに関するものである。
【背景技術】
【０００２】
従来から、ネットワークに接続して使用する端末装置として、パソコンや携帯電話が広く普及している。さらに近年では、テレビ、セットトップボックス（ＳＴＢ）や車載情報端末等のネットワーク接続も一般化してきている。そして、このようなネットワーク端末では、ＵＩ画面を柔軟に変更可能とすることが求められている。
【０００３】
そこで、ユーザの好みに合うように画面デザインを変更可能な端末装置が存在する（例えば特許文献１参照）。この特許文献１に開示される端末装置では、ネットワーク上のサーバから個人識別情報に対応する画面デザインデータをダウンロードし、その画面デザインデータに基づいてＵＩ表示を行う。具体的には、端末装置はブラウザ機能を備え、画面デザインデータはＨＴＭＬ（Ｈｙｐｅｒ  Ｔｅｘｔ  Ｍａｒｋｕｐ  Ｌａｎｇｕａｇｅ）等で記述されたＵＩコンテンツで構成されている。
【０００４】
すなわち、複数のユーザ（例えば父親や娘等）がそれぞれ端末装置を利用する際に、端末装置からネットワーク上のサーバに個人識別情報が送信され、サーバに格納された各人対応のＵＩコンテンツが端末装置に送信される。そして、端末装置は、このＵＩコンテンツをブラウザ等のＵＩコンテンツ再生部で再生して表示画面を生成し、液晶ディスプレイ等の画面表示部に表示する。これにより、各ユーザの好みに合った画面デザインでＵＩ表示を行うことができる。
【先行技術文献】
【特許文献】
【０００５】
【特許文献１】特開２００３−９５０４０号公報
【発明の概要】
【発明が解決しようとする課題】
【０００６】
特許文献１に開示される端末装置では、上記のように構成されているため、ユーザ毎に好みの画面デザインでＵＩ表示を行うことができる。しかしながら、例えば暑い日には涼やかな色使いの画面デザインを提供する等といったように、ユーザの置かれた時々の環境条件に適した画面デザインでＵＩ表示を行うことはできないという課題があった。
【０００７】
この発明は、上記のような課題を解決するためになされたもので、ユーザの置かれたその時々の環境条件に適した画面デザインでＵＩ表示を行うことができるネットワーク端末、ネットワーク端末用ＵＩコンテンツおよびＵＩ表示システムを提供することを目的としている。
【課題を解決するための手段】
【０００８】
この発明に係るネットワーク端末は、ＵＩコンテンツが格納されたデータベース部とネットワークにより接続されるネットワーク端末において、データベース部から所望のＵＩコンテンツを取得する通信部と、ネットワーク端末本体における環境情報を生成する環境情報生成部と、通信部により取得されたＵＩコンテンツの変換部に環境情報生成部で生成された環境情報を提供し、変換部の出力に基づいて環境情報に応じた画面デザインデータを生成するＵＩコンテンツ再生部とを備えるものである。
【発明の効果】
【０００９】
この発明によれば、上記のように構成したので、ユーザの置かれたその時々の環境条件に適した画面デザインでＵＩ表示を行うことができる。
【図面の簡単な説明】
【００１０】
【図１】この発明の実施の形態１に係るＵＩ表示システムの構成を示す図である。
【図２】この発明の実施の形態１におけるＵＩコンテンツの一例を示す図である。
【図３】この発明の実施の形態１に係るＵＩ表示システムの動作を示すフローチャートである。
【図４】この発明の実施の形態２に係るＵＩ表示システムの構成を示す図である。
【図５】この発明の実施の形態２におけるＵＩコンテンツの一例を示す図である。
【図６】この発明の実施の形態２に係るＵＩ表示システムの動作を示すフローチャートである。
【図７】この発明の実施の形態３に係るＵＩ表示システムの構成を示す図である。
【図８】この発明の実施の形態３におけるＵＩコンテンツの一例を示す図である。
【図９】この発明の実施の形態３に係るＵＩ表示システムの動作を示すフローチャートである。
【発明を実施するための形態】
【００１１】
以下、この発明の実施の形態について図面を参照しながら詳細に説明する。
実施の形態１．
図１はこの発明の実施の形態１に係るＵＩ表示システムの構成を示す図である。
ＵＩ表示システムは、図１に示すように、複数のＵＩコンテンツ４が格納されたデータベース１１を有するネットワークサーバ（外部サーバ）１と、テレビやＳＴＢ等のネットワーク端末２と、ネットワークサーバ１とネットワーク端末２との間でデータ伝送を行うネットワーク３とから構成されている。
【００１２】
ネットワークサーバ１は、ネットワーク３を介して、ネットワーク端末２の後述する通信部２１との間で通信を行うものである。このネットワークサーバ１は、通信部２１から所望のＵＩコンテンツ４の取得要求がなされた場合に、データベース１１に格納された該当するＵＩコンテンツ４を抽出して通信部２１に送信する。
【００１３】
ここで、ＵＩコンテンツ４には、図２に示すように、背景（ｂａｃｋｇｒｏｕｎｄ）４１ａやバナー（ｂａｎｎｅｒ）４１ｂといった画面デザインを定義する画面デザインデータ４１とともに、変換プログラム４２が含まれている。なおＵＩコンテンツ４は、ネットワーク端末２の後述するＵＩコンテンツ再生部２２が再生可能な形式で構成されている。
変換プログラム４２は、ユーザの置かれた環境情報を画面デザインに変換する（画面デザインデータ４１に反映させる）ものであり、例えばＪａｖａ  Ｓｃｒｉｐｔ（登録商標）のようなスクリプト言語で実現することができる。変換プログラム４２は、環境情報として現在日時情報（ｄａｔｅ）を用いる。
【００１４】
ネットワーク端末２は、通信部２１、ＵＩコンテンツ再生部２２、環境情報生成部２３および画面表示部２４から構成されている。
通信部２１は、ネットワーク３を介して、ネットワークサーバ１との間で通信を行うものである。この通信部２１は、リモコン等を介して利用者によりディスプレイ（不図示）上に表示されている表示画面の切替操作がなされた場合に、ネットワークサーバ１に切替先画面に対応するＵＩコンテンツ４の取得要求を行う。そして、通信部２１は、ネットワークサーバ１から受信したＵＩコンテンツ４をＵＩコンテンツ再生部２２に引き渡す。
【００１５】
ＵＩコンテンツ再生部２２は、通信部２１からのＵＩコンテンツ４を再生するものである。またこの際、ＵＩコンテンツ再生部２２は、ＵＩコンテンツ４に含まれる変換プログラム４２の処理に従い、環境情報生成部２３に環境情報（現在日時情報）の問い合わせ要求を行う。さらに、ＵＩコンテンツ再生部２２は、ＵＩコンテンツ４の再生によって設定された画面デザインデータ４１に基づいて表示画面を生成する。このＵＩコンテンツ再生部２２により生成された表示画面を示す画面表示信号は画面表示部２４に送信される。
【００１６】
環境情報生成部２３は、ＵＩコンテンツ再生部２２から環境情報の問い合わせ要求がなされた場合に、環境情報を提供するものである。この環境情報生成部２３は、現在日時情報を保持し、この現在日時情報を環境情報として提供する。
画面表示部２４は、ＵＩコンテンツ再生部２２により生成された表示画面をディスプレイ上に表示するものである。
【００１７】
次に、上記のように構成されたＵＩ表示システムの動作について説明する。図３はこの発明の実施の形態１に係るＵＩ表示システムの動作を示すフローチャートである。
ＵＩ表示システムの動作では、図３に示すように、まず、リモコン等を介して利用者により表示画面の切替操作がなされた場合に、通信部２１は、ネットワーク３を介して、ネットワークサーバ１に切替先画面に対応するＵＩコンテンツ４の取得要求を行う（ステップＳＴ３１）。
【００１８】
次いで、ネットワークサーバ１は、データベース１１に格納されている該当するＵＩコンテンツ４を、ネットワーク３を介して通信部２１に送信する（ステップＳＴ３２）。その後、通信部２１で受信されたＵＩコンテンツ４は、ＵＩコンテンツ再生部２２に引き渡される。
【００１９】
次いで、ＵＩコンテンツ再生部２２は、通信部２１から引き渡されたＵＩコンテンツ４の再生を開始する（ステップＳＴ３３）。これにより、ＵＩコンテンツ４に含まれる変換プログラム４２がＵＩコンテンツ再生部２２上で実行される。
【００２０】
まず、変換プログラム４２は、図２に示す処理４２ａにおいて環境情報取得命令を実行し、ＵＩコンテンツ再生部２２は、環境情報生成部２３に環境情報の問い合わせ要求を行う（ステップＳＴ３４）。ここでは非常に簡易な環境情報の例として、現在日時を問合せるものとする。
次いで、環境情報生成部２３は、現在日時を示す情報をＵＩコンテンツ再生部２２に提供する（ステップＳＴ３５）。
【００２１】
次いで、変換プログラム４２は、処理４２ｂにおいて、環境情報生成部２３から取得した現在日時が夏場（５月から１０月）であるかを判定する（ステップＳＴ３６）。
このステップＳＴ３６において、変換プログラム４２は、現在日時が夏場であると判定した場合には、処理４２ｃにおいて、画面デザインデータ４１を涼しげな画像デザインに設定する（ステップＳＴ３７）。すなわち、図２に示す背景４１ａ用の画像データとして寒色系画像（ｂｌｕｅ＿ｉｍａｇｅ）を設定し、バナー４１ｂの不透過率（ｔｒａｎｓｐａｒｅｎｃｙ）を３０％に設定する。
【００２２】
一方、ステップＳＴ３６において、変換プログラム４２は、現在日時が夏場ではないと判定した場合、すなわち現在日時が冬場（１１月から４月）である場合には、処理４２ｃにおいて、画面デザインデータ４１を落ち着いた画像デザインに設定する（ステップＳＴ３８）。すなわち、背景４１ａ用の画像データとして暖色系画像（ｒｅｄ＿ｉｍａｇｅ）を設定し、バナー４１ｂの不透過率を８０％に設定する。
以上のステップＳＴ３６〜３８によって、環境情報を画面デザインデータ４１に反映させることができる。
【００２３】
次いで、ＵＩコンテンツ再生部２２は、ＵＩコンテンツ４の再生により設定された画面デザインデータ４１に基づいて表示画面を生成する（ステップＳＴ３９）。このＵＩコンテンツ再生部２２により生成された表示画面を示す画面表示信号は画面表示部２４に送信される。
次いで、画面表示部２４は、ＵＩコンテンツ再生部２２により生成された表示画面をディスプレイ上に表示する（ステップＳＴ４０）。
【００２４】
以上のように、この実施の形態１によれば、ＵＩコンテンツ４に、ユーザの置かれた環境情報を画面デザインデータ４１に反映させる変換プログラム４２を含め、環境情報として現在日時情報を提供する環境情報生成部２３を備えたので、夏場は寒色系の背景画像に透過性の高いバナーという涼しげな画像デザインに設定し、冬場は暖色系の背景画像に透過性の低いバナーという落ち着いた画像デザインに設定することができる。そのため、ユーザの置かれたその時々の環境条件に適した画面デザインでＵＩ表示を行うことができる。
【００２５】
なお、実施の形態１に係るＵＩ表示システムでは、現在日時が夏場（５月〜１０月）であるか冬場（１１月から４月）であるかに応じて表示画面を変更するように構成したが、これに限るものではなく、例えば四季に応じて表示画面を変更するように構成してもよい。
【００２６】
実施の形態２．
図４はこの発明の実施の形態２に係るＵＩ表示システムの構成を示す図である。図４に示す実施の形態２に係るＵＩ表示システムは、図１に示す実施の形態１に係るＵＩ表示システムのネットワーク端末２に設置情報格納部２５を追加したものである。その他の構成は同様であり、同一の記号を付してその説明を省略する。
【００２７】
設置情報格納部２５は、ネットワーク端末２の設置位置情報を格納するものである。設置情報格納部２５は、設置位置情報として、ネットワーク端末２の設置位置での郵便番号を示す情報（ｚｉｐｃｏｄｅ）を格納している。この設置情報格納部２５に格納されている郵便番号情報は環境情報生成部２３により抽出される。
また、ＵＩコンテンツ４には、図５に示すように、気象情報表４３が追加されている。この気象情報表４３は、例えば郵便番号をインデックスとした各地の日毎の気象情報（天気データ）を表形式で格納したものである。
【００２８】
なお変換プログラム４２では、環境情報として、現在日時情報およびネットワーク端末２の設置位置情報（郵便番号情報）を用いる。そして、環境情報生成部２３から提供された現在日時情報および設置情報格納部２５に格納されている郵便番号情報に基づいて、気象情報表４３から該当する気象情報を抽出し、この気象情報を画像デザインに変換する（画面デザインデータ４１に反映させる）。
【００２９】
次に、上記のように構成されたＵＩ表示システムの動作について説明する。図６はこの発明の実施の形態２に係るＵＩ表示システムの動作を示すフローチャートである。
ＵＩ表示システムの動作では、図６に示すように、まず、リモコン等を介して利用者により表示画面の切替操作がなされた場合に、通信部２１は、ネットワーク３を介して、ネットワークサーバ１に切替先画面に対応するＵＩコンテンツ４の取得要求を行う（ステップＳＴ６１）。
【００３０】
次いで、ネットワークサーバ１は、データベース１１に格納されている該当するＵＩコンテンツ４を、ネットワーク３を介して通信部２１に送信する（ステップＳＴ６２）。その後、通信部２１で受信されたＵＩコンテンツ４は、ＵＩコンテンツ再生部２２に引き渡される。
【００３１】
次いで、ＵＩコンテンツ再生部２２は、通信部２１から引き渡されたＵＩコンテンツ４の再生を開始する（ステップＳＴ６３）。これにより、ＵＩコンテンツ４に含まれる変換プログラム４２がＵＩコンテンツ再生部２２上で実行される。
【００３２】
まず、変換プログラム４２は、図５に示す処理４２ａにおいて環境情報取得命令を実行し、ＵＩコンテンツ再生部２２は、環境情報生成部２３に環境情報の問合せ要求を行う（ステップＳＴ６４）。ここでは環境情報の例として、現在日時およびネットワーク端末２の設置位置での郵便番号を問合せるものとする。
次いで、環境情報生成部２３は、現在日時を示す情報および設置情報格納部２５に格納されている郵便番号を示す情報をＵＩコンテンツ再生部２２に提供する（ステップＳＴ６５）。
【００３３】
次いで、変換プログラム４２は、処理４２ａにおいて、環境情報生成部２３から取得した現在日時情報および郵便番号情報に基づいて、気象情報表４３から該当する気象情報を取得する（ステップＳＴ６６）。
【００３４】
次いで、変換プログラム４２は、処理４２ｂにおいて、気象情報が“晴れ”を示しているかを判定する（ステップＳＴ６７）。
このステップＳＴ６７において、変換プログラム４２は、気象情報が“晴れ”を示していると判定した場合には、処理４２ｃにおいて、画面デザインデータ４１を涼しげな画像デザインに設定する（ステップＳＴ６８）。すなわち、図５に示す背景４１ａ用の画像データとして寒色系画像を設定し、バナー４１ｂの不透過率を３０％に設定する。
【００３５】
一方、ステップＳＴ６７において、変換プログラム４２は、気象情報が“晴れ”を示していないと判定した場合、すなわち気象情報が“曇り”や“雨”を示している場合には、処理４２ｃにおいて、画面デザインデータ４１を落ち着いた画像デザインに設定する（ステップＳＴ６９）。すなわち、背景４１ａ用の画像データとして暖色系画像を設定し、バナー４１ｂの不透過率を８０％に設定する。
以上のステップＳＴ６７〜６９によって、環境情報を画面デザインに反映させることができる。
【００３６】
次いで、ＵＩコンテンツ再生部２２は、ＵＩコンテンツ４の再生により設定された画面デザインデータ４１に基づいて表示画面を生成する（ステップＳＴ７０）。このＵＩコンテンツ再生部２２により生成された表示画面を示す画面表示信号は画面表示部２４に送信される。
次いで、画面表示部２４は、ＵＩコンテンツ再生部２２により生成された表示画面をディスプレイ上に表示する（ステップＳＴ７１）。
【００３７】
以上のように、この実施の形態２によれば、環境情報生成部２３は、環境情報として現在日時情報およびネットワーク端末２の設置位置情報（郵便番号情報）を提供し、ＵＩコンテンツ４に、日時および郵便番号に基づく気象情報表４３を含めるように構成したので、冬場であっても天気のよい日は寒色系の背景画像に透過性の高いバナーという涼しげな画像デザインに設定し、夏場であっても天気の悪い肌寒い日は暖色系の背景画像に透過性の低いバナーという落ち着いた画像デザインに設定することができる。そのため、実施の形態１に係るＵＩ表示システムと比較して、ユーザの置かれたその時々の環境条件をよりきめ細かく画面デザインデータ４１に反映させることが可能となる。
【００３８】
なお、実施の形態２に係るＵＩ表示システムでは、気象情報表４３は気象情報として天気データを保持するように構成したが、これに限るものではなく、例えば最高／最低気温や湿度等の情報も加えてもよく、さらにきめ細かな画像デザイン変更が可能であることは言うまでもない。
【００３９】
実施の形態３．
図７はこの発明の実施の形態３に係るＵＩ表示システムの構成を示す図である。図７に示す実施の形態３に係るＵＩ表示システムは、図１に示す実施の形態１に係るＵＩ表示システムのネットワーク端末２に設置情報格納部２５、データ放送受信部２６および気象情報格納部２７を追加したものである。その他の構成は同様であり、同一の符号を付してその説明を省略する。
【００４０】
設置情報格納部２５は、実施の形態２における設置情報格納部２５と同一であり、ネットワーク端末２の設置位置情報（郵便番号情報）を格納するものである。この設置情報格納部２５に格納されている郵便番号情報は環境情報生成部２３により抽出される。
【００４１】
データ放送受信部２６は、例えば（社）電波産業会が策定する標準規格「デジタル放送におけるデータ放送符号化システムと伝送システム」（ＡＲＩＢ  ＳＴＤ−Ｂ２４）に準拠して、放送局（不図示）が送出するデータ放送番組を受信再生するものである。このデータ放送受信部２６は、ネットワーク端末２がデジタルテレビやＳＴＢである場合に標準的に具備されるものである。
ここで、多くの放送局では、データ放送番組としてニュースや各地の気象情報を配信している。そこで、データ放送受信部２６は、放送局が配信する気象情報（天気データ）を受信する。このデータ放送受信部２６により受信された気象情報は気象情報格納部２７に送信される。
【００４２】
気象情報格納部２７は、データ放送受信部２６からの気象情報を格納するものである。この気象情報格納部２７に格納されている気象情報は環境情報生成部２３により抽出される。
【００４３】
なお、環境情報生成部２３は、ＵＩコンテンツ再生部２２から環境情報の問い合わせ要求がなされた場合に、環境情報（気象情報）を提供する。すなわち、環境情報生成部２３は、まず、設置情報格納部２５に格納されている郵便番号情報を取得する。そして、保持している現在日時情報および設置位置情報に基づいて、気象情報格納部２７から該当する気象情報を取得して、この気象情報を提供する。
また、変換プログラム４２は、環境情報として気象情報を用いる。すなわち、変換プログラム４２は、環境情報生成部２３から提供された気象情報を画面デザインに変換する（画面デザインデータ４１に反映させる）。
【００４４】
次に、上記のように構成されたＵＩ表示システムの動作について説明する。図９はこの発明の実施の形態３に係るＵＩ表示システムの動作を示すフローチャートである。なおデータ放送受信部２６では、放送局が配信する気象情報を受信して気象情報格納部２７に格納している。
ＵＩ表示システムの動作では、図９に示すように、まず、リモコン等を介して利用者により表示画面の切替操作がなされた場合に、通信部２１は、ネットワーク３を介して、ネットワークサーバ１に切替先画面に対応するＵＩコンテンツ４の取得要求を行う（ステップＳＴ９１）。
【００４５】
次いで、ネットワークサーバ１は、データベース１１に格納されている該当するＵＩコンテンツ４を、ネットワーク３を介して通信部２１に送信する（ステップＳＴ９２）。その後、通信部２１で受信されたＵＩコンテンツ４は、ＵＩコンテンツ再生部２２に引き渡される。
【００４６】
次いで、ＵＩコンテンツ再生部２２は、通信部２１から引き渡されたＵＩコンテンツ４の再生を開始する（ステップＳＴ９３）。これにより、ＵＩコンテンツ４に含まれる変換プログラム４２がＵＩコンテンツ再生部２２上で実行される。
【００４７】
まず、変換プログラム４２は、図８に示す処理４２ａにおいて環境情報取得命令を実行し、ＵＩコンテンツ再生部２２は、環境情報生成部２３に環境情報の問合せ要求を行う（ステップＳＴ９４）。ここでは環境情報の例として、ネットワーク端末２の設置位置での気象情報を問合せるものとする。
【００４８】
次いで、環境情報生成部２３は、設置情報格納部２５に格納されている郵便番号を示す情報を取得する（ステップＳＴ９５）。
次いで、環境情報生成部２３は、保持している現在日時情報および取得した郵便番号情報に基づいて気象情報格納部２７から該当する気象情報を取得して、ＵＩコンテンツ再生部２２に提供する（ステップＳＴ９６）。
【００４９】
次いで、変換プログラム４２は、処理４２ｂにおいて、気象情報が“晴れ”を示しているかを判定する（ステップＳＴ９７）。
このステップＳＴ９７において、変換プログラム４２は、気象情報が“晴れ”を示していると判定した場合には、処理４２ｃにおいて、画面デザインデータ４１を涼しげな画像デザインに設定する（ステップＳＴ９８）。すなわち、図８に示す背景４１ａ用の画像データとして寒色系画像を設定し、バナー４１ｂの不透過率を３０％に設定する。
【００５０】
一方、ステップＳＴ９７において、変換プログラム４２は、気象情報が“晴れ”を示していないと判定した場合、すなわち気象情報が“曇り”や“雨”を示している場合には、処理４２ｃにおいて、画面デザインデータ４１を落ち着いた画像デザインに設定する（ステップＳＴ９９）。すなわち、背景４１ａ用の画像データとして暖色系画像を設定し、バナー４１ｂの不透過率を８０％に設定する。
以上のステップＳＴ９７〜９９によって、環境情報を画面デザインデータ４１に反映させることができる。
【００５１】
次いで、ＵＩコンテンツ再生部２２は、ＵＩコンテンツ４の再生により設定された画面デザインデータ４１に基づいて表示画面を生成する（ステップＳＴ１００）。このＵＩコンテンツ再生部２２により生成された表示画面を示す画面表示信号は画面表示部２４に送信される。
次いで、画面表示部２４は、ＵＩコンテンツ再生部２２により生成された表示画面をディスプレイ上に表示する（ステップＳＴ１０１）。
【００５２】
以上のように、この実施の形態３によれば、データ放送受信部２６は、放送局からの気象情報を受信して気象情報格納部２７に格納し、環境情報生成部２３は、環境情報として現在日時情報とネットワーク端末２の設置位置情報に基づく気象情報を提供するように構成したので、実施の形態２に係るＵＩ表示システムと同様に、ユーザの置かれたその時々の環境条件をよりきめ細かく画面デザインデータ４１に反映させることが可能となる。また、実施の形態２に係るＵＩコンテンツ４と比べて、気象情報表４３を省いてデータ量を削減することができるので、画面切替操作に応じたＵＩコンテンツ４のダウンロードに必要な通信帯域および通信時間が削減され、ＵＩの応答性を高めることができる。
【００５３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５４】
１  ネットワークサーバ（外部サーバ）、２  ネットワーク端末、３  ネットワーク、４  ＵＩコンテンツ、１１  データベース、２１  通信部、２２  ＵＩコンテンツ再生部、２３  環境情報生成部、２４  画面表示部、２５  設置情報格納部、２６  データ放送受信部、２７  気象情報格納部、４１  画面デザインデータ、４１ａ  背景、４１ｂ  バナー、４２  変換プログラム、４３  気象情報表。
【図１】
0005627432.tif 000002
【図２】
0005627432.tif 000003
【図３】
0005627432.tif 000004
【図４】
0005627432.tif 000005
【図５】
0005627432.tif 000006
【図６】
0005627432.tif 000007
【図７】
0005627432.tif 000008
【図８】
0005627432.tif 000009
【図９】
0005627432.tif 000010